【手続補正書】
【提出日】平成19年7月30日(2007.7.30)
【手続補正１】
【補正対象書類名】特許請求の範囲
【補正対象項目名】全文
【補正方法】変更
【補正の内容】
【特許請求の範囲】
【請求項１】
１つまたは複数のコンピュータ可読媒体上に具現化されコンピュータ上で実行可能なグラフィカルユーザインタフェースにおいて、
アイテムを表示するように動作可能な第１の表示領域と、
前記アイテムに関して実行されるべきナビゲーションアクションに関連するユーザ入力を受け入れるように設定されたナビゲーション領域と、
前記アイテムに関して実行されるべきナビゲーションアクション候補を表すユーザ入力に応答してレンダリングされる第２の表示領域と
を備え、前記第２の表示領域は、前記ナビゲーションアクション候補が実行された場合に前記第１の表示領域に表示されることになる前記アイテムからの実際のコンテンツを含むプレビューを表示し、前記実際のコンテンツは、一つまたはそれ以上のナビゲーション選択をするに当たってユーザにとって役に立つであろうコンテンツを前記アイテムから決定するコンテンツ選択アルゴリズムを利用して選択されることを特徴とするグラフィカルユーザインタフェース。
【請求項２】
前記アイテムがコンピュータファイルであることを特徴とする請求項１に記載のユーザインタフェース。
【請求項３】
前記アイテムが文書であることを特徴とする請求項１に記載のユーザインタフェース。
【請求項４】
前記アイテムが、ワードプロセッサ文書、プレゼンテーション文書、またはスプレッドシートであることを特徴とする請求項１に記載のユーザインタフェース。
【請求項５】
前記アイテムがウェブページであることを特徴とする請求項１に記載のユーザインタフェース。
【請求項６】
前記第１の表示領域が、該第１の表示領域内に前記アイテムを表示することが可能なアプリケーションに関連づけられることを特徴とする請求項１に記載のユーザインタフェース。
【請求項７】
前記ナビゲーション領域が、カラムバーおよびインジケータボックスを含むスクロールバーを含み、ナビゲーションアクション候補を表す前記ユーザ入力が、該ナビゲーションアクション候補に関連する前記カラムバー内の位置に関連づけられることを特徴とする請求項１に記載のユーザインタフェース。
【請求項８】
前記位置が、マウスとのユーザインタラクションを通じて通知され、前記マウスが、前記ナビゲーション領域において見えるポインタを含み、該ポインタが、所定期間前記位置に配置されることを特徴とする請求項７に記載のユーザインタフェース。
【請求項９】
前記ナビゲーション入力が、マウス、キーボード、および／またはユーザ入力機能付き画面を通じて通知されることを特徴とする請求項１に記載のユーザインタフェース。
【請求項１０】
前記ナビゲーションアクション候補が、前記第１の表示領域に現在表示されていない前記アイテムの部分へナビゲートすることであることを特徴とする請求項１に記載のユーザインタフェース。
【請求項１１】
前記アイテムが、ファイルまたはオブジェクトに関連づけられたリンクを含むことを特徴とする請求項１に記載のユーザインタフェース。
【請求項１２】
前記ナビゲーションアクション候補が、前記リンクに関連づけられた前記ファイルまたはオブジェクトへナビゲートすることであることを特徴とする請求項１１に記載のユーザインタフェース。
【請求項１３】
前記第２の表示領域は、前記ナビゲーションアクション候補が実行された場合に前記第１の表示領域において見える前記アイテムの部分を表示することを特徴とする請求項１に記載のユーザインタフェース。
【請求項１４】
前記第２の表示領域は、ナビゲーションアクション候補を表す前記ユーザ入力の後のユーザ入力に応答して非表示になることを特徴とする請求項１に記載のユーザインタフェース。
【請求項１５】
グラフィカルユーザインタフェースに提示されるコンテンツをナビゲートするコンピュータ制御の方法において、
第１の表示領域にアイテムの第１のビューを表示し、
前記アイテムに関して実行されるべきナビゲーションアクション候補を表すユーザ入力を受け取り、
前記アイテムの第２のビューを発生し、該第２のビューは前記ナビゲーションアクション候補が実行された場合に前記第１の表示領域に表示されることになる前記アイテムからの実際のコンテンツを含み、該実際のコンテンツは一つまたはそれ以上のナビゲーション選択をするに当たってユーザにとって役に立つであろうコンテンツを前記アイテムから決定するコンテンツ選択アルゴリズムを利用して選択され、
前記ユーザ入力に応答して第２の表示領域をレンダリングし、前記第２の表示領域は少なくとも前記アイテムの前記第２のビューの部分を表示する
ことを特徴とする、コンテンツをナビゲートするコンピュータ制御の方法。
【請求項１６】
前記アイテムがコンピュータファイルであることを特徴とする請求項１５に記載のコンピュータにより実施される方法。
【請求項１７】
前記アイテムが文書であることを特徴とする請求項１５に記載のコンピュータにより実施される方法。
【請求項１８】
前記アイテムが、ワードプロセッサ文書、プレゼンテーション文書、スプレッドシートまたはウェブページであることを特徴とする請求項１５に記載のコンピュータにより実施される方法。
【請求項１９】
前記アイテムが、コンピュータファイルもしくはオブジェクトに関連づけられたリンク、またはコンピュータファイルもしくはオブジェクトに関連づけられたアイコンを含むことを特徴とする請求項１５に記載のコンピュータにより実施される方法。
【請求項２０】
前記第１の表示領域が、該第１の表示領域内に前記アイテムを表示することが可能なアプリケーションに関連づけられることを特徴とする請求項１５に記載のコンピュータにより実施される方法。
【請求項２１】
前記ナビゲーション入力が、マウス、キーボード、および／またはユーザ入力機能付き画面を通じて通知されることを特徴とする請求項１５に記載のコンピュータにより実施される方法。
【請求項２２】
前記ナビゲーションアクション候補が、前記第１の表示領域に現在表示されていない前記アイテムの部分へナビゲートすることであることを特徴とする請求項１５に記載のコンピュータにより実施される方法。
【請求項２３】
前記ナビゲーションアクション候補が、ファイルまたはオブジェクトのコンテンツを見ることであることを特徴とする請求項１５に記載のコンピュータにより実施される方法。
【請求項２４】
前記ファイルが、前記第１の表示領域に表示されるリンクまたはアイコンに関連づけられることを特徴とする請求項２３に記載のコンピュータにより実施される方法。
【請求項２５】
前記第２の表示領域は、前記ナビゲーションアクション候補が実行された場合に前記第１の表示領域において見える前記アイテムの部分を表示することを特徴とする請求項１５に記載のコンピュータにより実施される方法。
【請求項２６】
前記ナビゲーションアクション候補が、前記部分へナビゲートすることであることを特徴とする請求項２５に記載のコンピュータにより実施される方法。
【請求項２７】
前記アイテムに関する前記ナビゲーションアクションを実行するためのユーザ選択を受け取り、
前記アイテムに関する前記ナビゲーションアクションを実行する
ことをさらに含むことを特徴とする請求項１５に記載のコンピュータにより実施される方法。
【請求項２８】
前記実行により、前記アイテムの少なくとも一部が前記第１の表示領域において見えるようになることを特徴とする請求項２７に記載のコンピュータにより実施される方法。
【請求項２９】
前記実行により、前記第２の表示領域に表示されているコンテンツの少なくとも一部が前記第１の表示領域において見えるようになることを特徴とする請求項２７に記載のコンピュータにより実施される方法。
【請求項３０】
ナビゲーションアクション候補を表す前記ユーザ入力の後のユーザ入力を受け取ったことに応答して前記第２の表示領域を非表示にすることをさらに含むことを特徴とする請求項１５に記載のコンピュータにより実施される方法。
【請求項３１】
グラフィカルユーザインタフェースに提示されるコンテンツをナビゲートするためのナビゲーションコントロール機器において、
ナビゲーションアクション候補を示すデータを取得するユーザ入力コンポーネントと、
画面表示を発生するためのナビゲーション分析コンポーネントであって、該画面表示は前記ナビゲーションアクション候補を実行するための選択の結果としてユーザに対して表示されることになる前記アイテムからの実際のコンテンツを含み、該実際のコンテンツは一つまたはそれ以上のナビゲーション選択をするに当たってユーザにとって役に立つであろうコンテンツを前記アイテムから決定するコンテンツ選択アルゴリズムを利用して選択される、ナビゲーション分析コンポーネントと、
前記画面表示の部分を少なくとも含むプレビュー画像を生成するプレビュー生成コンポーネントと、
画面領域上に前記プレビュー画像をレンダリングする命令を生成する出力コンポーネントと
を備えたことを特徴とするナビゲーションコントロール機器。
【請求項３２】
前記プレビュー生成コンポーネントが、プレビューされている前記データのセットのどの部分を前記プレビュー画像に提示すべきかを決定することを特徴とする請求項３１に記載のナビゲーションコントロール機器。
【請求項３３】
前記プレビュー画像が、前記第１の表示領域に現在表示されていないが前記ナビゲーションアクション候補が実行された場合に前記第１の表示領域に表示されることになるコンテンツを含むことを特徴とする請求項３１に記載のナビゲーションコントロール機器。
【請求項３４】
グラフィカルユーザインタフェースに提示されるコンテンツをナビゲートするためのナビゲーションコントロール機器において、
ナビゲーションアクション候補を示すデータを取得する手段と、
画面表示を発生する手段であって、該画面表示は前記ナビゲーションアクション候補を実行するための選択の結果としてユーザに対して表示されることになる前記アイテムからの実際のコンテンツを含み、該実際のコンテンツは一つまたはそれ以上のナビゲーション選択をするに当たってユーザにとって役に立つであろうコンテンツを前記アイテムから決定するコンテンツ選択アルゴリズムを利用して選択される、画面表示を発生する手段と、
前記画面表示の部分を少なくとも含むプレビュー画像を生成する手段と、
画面領域上に前記プレビュー画像をレンダリングする命令を生成する手段と
を備えたことを特徴とするナビゲーションコントロール機器。